(57)【要約】【課題】連結金具の取り付け、取り外しに際して、連結金具をハンマー等により打撃を加える必要がないので、打撃音の問題が生じることがない、連結金具の取り付け、取り外し用治具を提供する。【解決手段】柄部１２と、柄部の先端に取り付けられた板状の治具本体１３とからなり、治具本体１３には、折り曲げられた側の挟持部が嵌め込まれる嵌合部１４が形成され、折り曲げられた側の前記挟持部を嵌合部１４に嵌合させ、治具本体１３を柄部１２を介して回転させることにより、連結金具の取り付け、取り外しを行う。【選択図】図１
2020138312.tif 000002
【特許請求の範囲】
【請求項１】
板状の連結金具本体と、前記連結金具本体の一端を前記連結金具本体の一方面側にＬ字状に折り曲げることにより形成された差込み部と、前記連結金具本体の他端を、前記一方面側にＵ字状に折り曲げることにより形成された挟持部とを備え、前記挟持部の折曲げ部は、前記連結金具本体の長手方向に対して斜めに形成され、重なったフランジを前記挟持部に入れ込むことによって、フランジを有する部材を相互に連結するための連結金具の取り付け、取り外し用治具において、
柄部と、前記柄部の先端に取り付けられた治具本体とからなり、前記治具本体には、折り曲げられた側の前記挟持部が嵌め込まれる嵌合部が形成され、折り曲げられた側の前記挟持部を前記嵌合部に嵌合させ、前記治具本体を前記柄部を介して回転させることにより、前記連結金具の取り付け、取り外しを行うことを特徴とする、連結金具の取り付け、取り外し用治具。
【請求項２】
前記治具本体には、前記治具本体を前記連結金具の取り外し方向に回転させたときに、前記フランジの内側端面に当接する突起が形成されていることを特徴とする、請求項１に記載の、連結金具の取り付け、取り外し用治具。
【請求項３】
前記治具本体の先端のコーナー部は、切り取られていることを特徴とする、請求項１または２に記載の、連結金具の取り付け、取り外し用治具。
【請求項４】
前記柄部に挿着され、前記柄部に沿って滑動して、前記治具本体を衝打する打込体を更に備えることを特徴とする、請求項１から３の何れか１つに記載の、連結金具の取り付け、取り外し用治具。
【請求項５】
前記柄部には挿入孔が形成されており、
前記挿入孔に嵌挿されることにより、前記打込体が前記柄部の末端から脱落するのを防止する脱落防止具を更に備えることを特徴とする、請求項４に記載の、連結金具の取り付け、取り外し用治具。
【請求項６】
前記打込体における、前記治具本体に当接する当接部には、前記衝打により発生する音を軽減する消音部材が取り付けられていることを特徴とする、請求項４又は５に記載の、連結金具の取り付け、取り外し用治具。
【請求項７】
前記治具本体の先端部には、前記差込み部が嵌め込まれる切欠部が形成されていることを特徴とする、請求項１から６の何れか１つに記載の、連結金具の取り付け、取り外し用治具。
【請求項８】
前記差込み部の先端部は、前記差込み部を、重なった前記フランジに形成された孔に差し込んだ際に、前記孔の周縁裏面に当接し、重なった前記フランジは、前記孔に差し込まれた前記差込み部を中心として、前記連結金具本体を回動させることにより、前記挟持部に入り込み、挟持されることを特徴とする、請求項１から７の何れか１つに記載の、連結金具の取り付け、取り外し用治具。
【請求項９】
前記差込み部の先端部は、登り傾斜に形成されていることを特徴とする、請求項１から８の何れか１つに記載の、連結金具の取り付け、取り外し用治具。
【請求項１０】
前記挟持部の入口の開口幅は、重なった前記フランジの板厚より狭く形成されていることを特徴とする、請求項１から９の何れか１つに記載の、連結金具の取り付け、取り外し用治具。
【請求項１１】
前記挟持部の入口縁部は、広がって形成されていることを特徴とする、請求項１から１０の何れか１つに記載の、連結金具の取り付け、取り外し用治具。
【請求項１２】
前記挟持部の幅は、前記差込み部の幅より広く形成されていることを特徴とする、請求項１から１１の何れか１つに記載の、連結金具の取り付け、取り外し用治具。
【請求項１３】
前記連結金具本体には、補強部が形成されていることを特徴とする、請求項１から１２の何れか１つに記載の、連結金具の取り付け、取り外し用治具。
【請求項１４】
前記部材は、ライナープレートからなっていることを特徴とする、請求項１から１３の何れか１つに記載の、連結金具の取り付け、取り外し用治具。
【発明の詳細な説明】
【技術分野】
【０００１】
この発明は、連結金具の取り付け、取り外し用治具、特に、例えば、ライナープレート等のフランジを有する土留部材を相互に連結する際に使用する連結金具の取り付け、取り外し用治具に関するものである。
【背景技術】
【０００２】
例えば、立坑の構築法の一つにライナープレート工法がある。ライナープレート工法は、掘削した坑内にライナープレートをクレーン等で吊り下ろし、吊り下ろしたライナープレートを相互に連結して、土留め支保工とする工法である。
【０００３】
この際、例えば、ライナープレートを上下に連結するには、上部ライナープレートの下フランジと下部ライナープレートの上フランジとにそれぞれ形成された孔にボルトを通し、ナット止めするのが一般的である。
【０００４】
しかしながら、ボルト・ナットによる連結箇所は多数あるので、ライナープレートの連結には、多大な時間と手間を要する。
【０００５】
そこで、上記問題を解決するためのライナープレート用連結金具が特許文献１に開示されている。以下、このライナープレート用連結金具を従来連結金具といい、図面を参照しながら説明する。
【０００６】
図１９は、従来連結金具を示す斜視図、図２０は、従来連結金具により連結されたライナープレートを示す部分斜視図である。
【０００７】
図１９に示すように、従来連結金具は、連結金具本体２１と、連結金具本体２１の一端に形成された差込み部２２と、連結金具本体２１の他端に形成された挟持部２３とから構成されている。
【０００８】
差込み部２２は、後述するように、上、下部ライナープレート２４、２６の重なった上、下フランジ２５、２７に形成された孔２８に挿入され、挟持部２３は、重なった上、下フランジ２５、２７を挟持する。
【０００９】
従来連結金具により上、下部ライナープレート２４、２６を連結するには、図２０に示すように、上部ライナープレート２４の下フランジ２７と下部ライナープレート２６の上フランジ２５とにそれぞれ形成された孔２８に連結金具本体２１の差込み部２２を挿入し、この後、連結金具本体２１を、図２０中、矢印方向に差込み部２２を中心として回動させる。これにより、挟持部２３に上、下フランジ２５、２７が挟み込まれて、上部ライナープレート２４と下部ライナープレート２６とが連結される。
【先行技術文献】
【特許文献】
【００１０】
【特許文献１】実開平３−６９０９３号公報
【発明の概要】
【発明が解決しようとする課題】
【００１１】
上述した従来連結金具によれば、連結金具本体２１を回動させて、挟持部２３に上、下フランジ２５、２７を挟み込むことにより、上部ライナープレート２４と下部ライナープレート２６とが連結されるが、以下のような問題があった。
【００１２】
連結金具本体２１の差込み部２２は、上、下フランジ２５、２７に形成された孔２８に挿入されただけなので、上部ライナープレート２４と下部ライナープレート２６との間に引離し力が作用した場合には、挟持部２３のみで引離しを阻止することになり、この結果、上部ライナープレート２４と下部ライナープレート２６との強固な連結力が得られない。
【００１３】
以上は、ライナープレートを上下に連結する場合であるが、ライナープレートを左右に連結する場合も同様な問題が生じる。
【００１４】
そこで、本願発明者等は、上記問題を解決するための連結金具を開発した。以下、この連結金具を改良連結金具といい、図面を参照しながら説明する。
【００１５】
図１０は、改良連結金具を示す斜視図、図１１は、改良連結金具を示す正面図、図１２は、改良連結金具を示す背面図、図１３は、改良連結金具を示す平面図、図１４は、改良連結金具を示す底面図、図１５は、改良連結金具を示す左側面図、図１６は、改良連結金具を示す右側面図、図１７は、改良連結金具により連結されたライナープレートを示す部分斜視図、図１８は、別の改良連結金具を示す斜視図である。
【００１６】
図１０から図１８において、１は、板状の改良連結金具であり、例えば、エンボス加工により補強部１ａが形成されている（図１８参照）。補強部１ａの数および形成位置は、この例に限定されない。
【００１７】
２は、連結金具本体１の一端を連結金具本体１の一方面側（この例では、下面側）にＬ字状に折り曲げることにより形成された差込み部である。差込み部２の先端部２ａは、差込み部２を、後述する重なった上、下フランジ６、４に形成された孔８に差し込んだ際に、孔８の周縁裏面に当接する。前記周縁裏面は、ライナープレートを上下に連結する場合には、重なったフランジの下面であり、ライナープレートを左右に連結する場合には、重なったフランジの側面となる。
【００１８】
なお、図１４中、一点鎖線で示すように、先端部２ａを登り傾斜に形成することによって、差込み部２を孔８に差し込んで、後述するように、挟持部３に上、下フランジ６、４を挟み込んだ際、てこの原理により、上、下フランジ６、４の連結力をより強固にすることができる。
【００１９】
３は、連結金具本体１の他端を、連結金具本体１の一方面側（この例では、下面側）にＵ字状に折り曲げることにより形成された挟持部である。挟持部３には、上、下フランジ６、４に形成された孔８に差し込まれた差込み部２を中心として、連結金具本体１を回動させることにより、重なった上、下フランジ６、４が入り込み、かくして、挟持部３は、重なった上、下フランジ６、４を挟持する。
【００２０】
挟持部３の折曲げ部３ａは、連結金具本体１の長手方向に対して斜めに形成されている。この理由は、折曲げ部３ａを連結金具本体１の長手方向に対して斜めに形成すると、挟持部３に、重なった上、下フランジ６、４が入り込んだ際、折曲げ部３ａと、重なった上、下フランジ６、４の縁部とが平行になるので、挟持力が増すとともに、連結金具本体１を回動させた際のライナープレートの内側への連結金具本体１の出っ張り量を減少させることができ、この結果、作業に支障を来たすおそれを軽減することができるからである。
【００２１】
また、挟持部３の入口の開口幅Ｌ１（図１３参照）は、重なった上、下フランジ６、４の板厚より狭く形成されている。これによって、重なった上、下フランジ６、４をより強固に挟持することができる。
【００２２】
また、挟持部３の入口縁部３ｂは広がって形成されている。これによって、重なった上、下フランジ６、４を円滑に挟持部３に入れ込むことができる。
【００２３】
さらに、図１１に示すように、挟持部３の幅Ｌ２は、差込み部２の幅Ｌ３より広く形成されている。これによって、重なった上、下フランジ６、４をより強固に挟持することができる。
【００２４】
このように構成されている、改良連結金具によれば、以下のようにして、下フランジ４を有する上部ライナープレート５と上フランジ６を有する下部ライナープレート７とを相互に連結することができる。
【００２５】
先ず、図１７に示すように、重なった上、下フランジ６、４に形成された孔８に連結金具本体１の差込み部２を挿入し、差込み部２の先端部２ａを孔８の周縁裏面に当接させる。
【００２６】
次いで、連結金具本体１を孔８に挿入した差込み部２を中心として、図１７中、矢印Ａ方向に回動させる。これによって、重なった上、下フランジ６、４が挟持部３に入り込み、かくして、挟持部３は、重なった上、下フランジ６、４を挟持する。この際、挟持部３の入口の開口幅Ｌ１は、重なった上、下フランジ６、４の板厚より狭くなっているので、重なった上、下フランジ６、４をより強固に挟持することができる。また、挟持部３の入口縁部３ｂは、広がって形成されているので、重なった上、下フランジ６、４を円滑に挟持部３に入れ込むことができる。
【００２７】
以上のようにして、改良連結金具により上部ライナープレート５と下部ライナープレート７とが上下に連結される。
【００２８】
以上は、ライナープレートを上下に連結する場合であるが、図１７に示すように、ライナープレートを左右に連結する場合も同様である。すなわち、上部ライナープレート５を左右に連結する場合には、図１７に示すように、重なった左、右フランジ９、１０に形成された孔１１内に連結金具本体１の差込み部２を差し込み、連結金具本体１を孔１１に挿入した差込み部２を中心として、図１７中、矢印Ｂ方向に回動させる。これによって、重なった左、右フランジ９、１０は、挟持部３に入り込み、挟持される。
【００２９】
このようにして、改良連結金具により上部ライナープレート５を左右に連結することができる。
【００３０】
以上、説明したように、改良連結金具によれば、以下のような効果がもたらされる。
【００３１】
連結金具本体１の差込み部２を、重なった上、下フランジ６、４に形成された孔８に差し込んだ後、連結金具本体１を回動させるのみで、上、下部ライナープレート５、７を相互に連結することができるので、ボルト・ナットに比べて、ライナープレート相互の連結が容易かつ短時間に行える。
【００３２】
また、連結金具本体１の一端に、先端部２ａが、重なった上、下フランジ６、４に形成された孔８の周縁裏面に当接する差込み部２を設けることによって、連結された上、下部ライナープレート５、７に引離し力が作用した場合に、挟持部３と差込み部２とで引離しを阻止することができるので、ライナープレート相互の連結力がより強固になる。
【００３３】
また、差込み部２の先端部２ａを登り傾斜に形成することによって、差込み部２を孔８に差し込んで、挟持部３に重なった上、下フランジ６、４を挟み込んだ際、てこの原理により、重なった上、下フランジ６、４の連結力をより強固にすることができる。  
【００３４】
また、挟持部３の折曲げ部２ａを、連結金具本体１の長手方向に対して斜めに形成することによって、挟持部３に、重なった上、下フランジ６、４が入り込んだ際、挟持部３の折曲げ部２ａと、重なった上、下フランジ６、４の縁部とが平行になるので、挟持力が増すとともに、連結金具本体１を回動させた際の上、下部ライナープレート５、７の内側への連結金具本体１の出っ張り量を減少させることができ、この結果、作業に支障を来たすおそれを軽減することができる。
【００３５】
また、挟持部３の入口の開口幅Ｌ１は、重なった上、下フランジ６、４の板厚より狭くなっているので、重なった上、下フランジ６、４をより強固に挟持することができる。
【００３６】
また、挟持部３の入口縁部３ｂを広げて形成することによって、重なった上、下フランジ６、４をより円滑に挟持部３に入れ込むことができる。
【００３７】
また、挟持部３の幅Ｌ２を差込み部の幅Ｌ３より広く形成することによって、重なった上、下フランジ６、４をより強固に挟持することができる。
【００３８】
また、ライナープレートを左右に連結する場合も、ライナープレートを上下に連結する場合と同様な効果が得られる。
【００３９】
なお、上述した改良連結金具は、ライナープレート以外の、フランジを有する他の土留部材等の連結に使用できることは勿論である。
【００４０】
改良連結金具によれば、以上のような効果がもたらされるが、さらに以下のような効果が望まれている。
【００４１】
ライナープレートを相互に連結するには、改良連結金具を重なったフランジに取り付けた後、ハンマー等の工具により改良連結金具に打撃を加えて改良連結金具を回動させるが、この際、打撃音が発生するので、連結作業に支障を来たす。特に、ライナープレート工法により立坑を構築するような場合には、閉鎖空間となり、音が響くので、打撃音が大きな問題となり、これが作業者への障害となり、作業環境が悪化する。
【００４２】
なお、改良連結金具を重なったフランジから取り外して、ライナープレートの連結を解除する場合にも、取り付けの場合と同様に、打撃音が問題となり、これが作業者への障害となり、作業環境が悪化する。
【００４３】
従って、この発明の目的は、例えば、ライナープレート等の土留部材を連結する際に使用する連結金具に打撃を加えることがないので、作業環境が改善され、しかも、連結金具の取り付け、取り外しが容易かつ短時間に行なえる連結金具の取り付け、取り外し用治具を提供することにある。
【課題を解決するための手段】
【００４４】
この発明は、上記目的を達成するためになされたものであって、下記を特徴とする。
【００４５】
請求項１に記載の発明は、板状の連結金具本体と、前記連結金具本体の一端を前記連結金具本体の一方面側にＬ字状に折り曲げることにより形成された差込み部と、前記連結金具本体の他端を、前記一方面側にＵ字状に折り曲げることにより形成された挟持部とを備え、前記挟持部の折曲げ部は、前記連結金具本体の長手方向に対して斜めに形成され、重なったフランジを前記挟持部に入れ込むことによって、フランジを有する部材を相互に連結するための連結金具の取り付け、取り外し用治具において、柄部と、前記柄部の先端に取り付けられた治具本体とからなり、前記治具本体には、折り曲げられた側の前記挟持部が嵌め込まれる嵌合部が形成され、折り曲げられた側の前記挟持部を前記嵌合部に嵌合させ、前記治具本体を前記柄部を介して回転させることにより、前記連結金具の取り付け、取り外しを行うことに特徴を有するものである。
【００４６】
請求項２に記載の発明は、請求項１に記載の発明において、前記治具本体には、前記治具本体を前記連結金具の取り外し方向に回転させたときに、前記フランジの内側端面に当接する突起が形成されていることに特徴を有するものである。
【００４７】
請求項３に記載の発明は、請求項１または２に記載の発明において、前記治具本体の先端のコーナー部は、切り取られていることに特徴を有するものである。
【００４８】
請求項４に記載の発明は、請求項１から３の何れか１つに記載の、連結金具の取り付け、取り外し用治具において、前記柄部に挿着され、前記柄部に沿って滑動して、前記治具本体を衝打する打込体を更に備えることを特徴とする。
【００４９】
請求項５に記載の発明は、請求項４に記載の、連結金具の取り付け、取り外し用治具において、前記柄部には挿入孔が形成されており、前記挿入孔に嵌挿されることにより、前記打込体が前記柄部の末端から脱落するのを防止する脱落防止具を更に備えることを特徴とする。
【００５０】
請求項６に記載の発明は、請求項４又は５に記載の、連結金具の取り付け、取り外し用治具において、前記打込体における、前記治具本体に当接する当接部には、前記衝打により発生する音を軽減する消音部材が取り付けられていることを特徴とする。
【００５１】
請求項７に記載の発明は、請求項１から６の何れか１つに記載の、連結金具の取り付け、取り外し用治具において、前記治具本体の先端部には、前記差込み部が嵌め込まれる切欠部が形成されていることを特徴とする。
【００５２】
請求項８に記載の発明は、請求項１から７の何れか１つに記載の発明において、前記差込み部の先端部は、前記差込み部を、重なった前記フランジに形成された孔に差し込んだ際に、前記孔の周縁裏面に当接し、重なった前記フランジは、前記孔に差し込まれた前記差込み部を中心として、前記連結金具本体を回動させることにより、前記挟持部に入り込み、挟持されることに特徴を有するものである。
【００５３】
請求項９に記載の発明は、請求項１から８の何れか１つに記載の発明において、前記差込み部の先端部は、登り傾斜に形成されていることに特徴を有するものである。
【００５４】
請求項１０に記載の発明は、請求項１から９の何れか１つに記載の発明において、前記挟持部の入口の開口幅は、重なった前記フランジの板厚より狭く形成されていることに特徴を有するものである。
【００５５】
請求項１１に記載の発明は、請求項１から１０の何れか１つに記載の発明において、前記挟持部の入口縁部は、広がって形成されていることに特徴を有するものである。
【００５６】
請求項１２に記載の発明は、請求項１から１１の何れか１つに記載の発明において、前記挟持部の幅は、前記差込み部の幅より広く形成されていることに特徴を有するものである。
【００５７】
請求項１３に記載の発明は、請求項１から１２の何れか１つに記載の発明において、前記連結金具本体には、補強部が形成されていることに特徴を有するものである。
【００５８】
請求項１４に記載の発明は、請求項１から１３の何れか１つに記載の発明において、前記部材は、ライナープレートからなっていることに特徴を有するものである。
【発明の効果】
【００５９】
この発明によれば、例えば、ライナープレート等の土留部材を連結する際に使用する連結金具に打撃を加えることがないので、作業環境が改善され、しかも、連結金具の取り付け、取り外しが容易かつ短時間に行なえる。
【００６０】
また、この発明によれば、治具本体に、治具本体を連結金具の取り外し方向に回転させたときに、重なったフランジの内側端面に当接する突起を形成することによって、フランジを連結金具の挟持部から完全から抜き出すことができる。
【００６１】
また、この発明によれば、治具本体の先端のコーナー部を切り取ることによって、重なった左、右フランジに対して連結金具を取り付け、取り外す場合においても、治具本体の回転に支障を来たすおそれがない。
【図面の簡単な説明】
【００６２】
【図１】この発明の、第１実施形態に係る連結金具の取り付け、取り外し用治具を示す斜視図である。
【図２】この発明の、第１実施形態に係る連結金具の取り付け、取り外し用治具を示す一部省略平面図である。
【図３】この発明の、第１実施形態に係る連結金具の取り付け、取り外し用治具を示す一部省略正面図である。
【図４】この発明の、第１実施形態に係る連結金具の取り付け、取り外し用治具を示す側面図である。
【図５】この発明の、第１実施形態に係る連結金具の取り付け、取り外し用治具の取り外し工程を示す図であり、（ａ）は、治具を取り付けた平面図、（ｂ）は、治具を途中まで回転させた平面図、（ｃ）は、治具を取り外した平面図である。
【図６】この発明の、第１実施形態に係る連結金具の取り付け、取り外し用治具の取り外し工程を示す図であり、（ａ）は、治具を取り付けた底面図、（ｂ）は、治具を途中まで回転させた底面図、（ｃ）は、治具を取り外した底面図である。
【図７】この発明の、第２実施形態に係る連結金具の取り付け、取り外し用治具を示す平面図である。
【図８】この発明の、第２実施形態に係る連結金具の取り付け、取り外し用治具を示す側面図である。
【図９】この発明の、第２実施形態に係る連結金具の取り付け、取り外し用治具の取り外し工程を示す図であり、（ａ）は、治具を取り付けた底面図、（ｂ）は、治具を途中まで回転させた底面図、（ｃ）は、治具を取り外した底面図である。
【図１０】改良連結金具を示す斜視図である。
【図１１】改良連結金具を示す正面図である。
【図１２】改良連結金具を示す背面図である。
【図１３】改良連結金具を示す平面図である。
【図１４】改良連結金具を示す底面図である。
【図１５】改良連結金具を示す左側面図である。
【図１６】改良連結金具を示す右側面図である。
【図１７】改良連結金具により連結されたライナープレートを示す部分斜視図である。
【図１８】別の改良連結金具を示す斜視図である。
【図１９】従来連結金具を示す斜視図である。
【図２０】従来連結金具により連結されたライナープレートを示す部分斜視図である。
【発明を実施するための形態】
【００６３】
［第１実施形態］
この発明の連結金具の第１実施態様を、図面を参照しながら説明する。
【００６４】
図１は、この発明の、第１実施形態に係る連結金具の取り付け、取り外し用治具を示す斜視図、図２は、この発明の、第１実施形態に係る連結金具の取り付け、取り外し用治具を示す一部省略平面図、図３は、この発明の、第１実施形態に係る連結金具の取り付け、取り外し用治具を示す一部省略正面図、図４は、この発明の、第１実施形態に係る連結金具の取り付け、取り外し用治具を示す側面図、図５は、この発明の、第１実施形態に係る連結金具の取り付け、取り外し用治具の取り外し工程を示す図であり、（ａ）は、治具を取り付けた平面図、（ｂ）は、治具を途中まで回転させた平面図、（ｃ）は、治具を取り外した平面図、図６は、この発明の、第１実施形態に係る連結金具の取り付け、取り外し用治具の取り外し工程を示す図であり、（ａ）は、治具を取り付けた底面図、（ｂ）は、治具を途中まで回転させた底面図、（ｃ）は、治具を取り外した底面図である。
【００６５】
図１から図６に示すように、この発明の、第１実施形態に係る連結金具の取り付け、取り外し用治具は、柄部１２と、柄部１２の先端に取り付けられた治具本体１３とからなっている。
【００６６】
柄部１２は、この例では、丸パイプからなっているが、これに限定されない。治具本体１３は、板状をなし、治具本体１３には、上述した連結金具の折り曲げられた側の挟持部３が嵌め込まれる略矩形状の嵌合部１４が形成されている。嵌合部１４は、柄部１２の操作性を考慮して柄部１２の軸線に対して傾斜して形成されている。図２に、この傾斜角度をθで示す。治具本体１３の一方の面には、板材１５が治具本体１３と一体に取り付けられている。板材１５には、嵌合部１４の柄部１２側の一部と重なり合う凹部１５ａが形成され、板材１５の先端には、突起１６が形成されている。
【００６７】
突起１６の機能は、以下の通りである。
【００６８】
治具の取り外しに際して、図５（ｃ）に示すように、突起１６が重なった上、下フランジ６、４の内側端面Ｓに当接した後、さらに治具を回転させることによって、重なった上、下フランジ６、４から連結金具の挟持部３を完全に抜き出すことができる。
【００６９】
治具本体１３の先端のコーナー部（図２中、ハッチングを施した部分）は、切り欠かれている。これは、重なった左、右フランジ９、１０（図１７参照）に対して、連結金具を取り付け、取り外す際に、治具本体１３の先端のコーナー部を切り欠かないと、治具本体１３がライナープレートと干渉して、治具本体１３の回転に支障を来たすからである。
【００７０】
次に、この発明の、連結金具の取り付け、取り外し用治具による連結金具の取り外し方法について説明する。
【００７１】
図５（ａ）、図６（ａ）に示すように、上述した連結金具の折り曲げられた側の挟持部３に治具本体１３の嵌合部１４を嵌め込む。
【００７２】
次に、図５（ｂ）、図６（ｂ）に示すように、柄部１２を介して治具本体１３をてこの原理を利用して、図中、矢印方向に回転させる。
【００７３】
次に、図５（ｃ）、図６（ｃ）に示すように、突起１６が、重なった上、下フランジ６、４の内側端面Ｓに当接した後、さらに治具本体１３を回転させることによって、重なった上、下フランジ６、４から連結金具の挟持部３を完全に抜き出すことができる。
【００７４】
重なった左、右フランジ９、１０（図１７参照）に対して、連結金具を取り付け、取り外す場合も同様である。
【００７５】
この発明の、第１実施形態に係る連結金具の取り付け、取り外し用治具により連結金具を取り付けるには、上述した取り外し方法の場合の逆の操作をする。
【００７６】
以上、説明したように、この発明の第１実施形態に係る連結金具の取り付け、取り外し用治具によれば、連結金具の回転に際して、連結金具をハンマー等により打撃を加える必要がないので、作業環境が改善され、しかも、連結金具の取り付け、取り外しが容易かつ短時間に行なえる。
【００７７】
また、この発明の第１実施形態に係る連結金具の取り付け、取り外し用治具によれば、治具本体１３に、治具本体１３を連結金具の取り外し方向に回転させたときに、重なった上、下フランジ６、４、あるいは、重なった左、右フランジ９、１０の内側端面Ｓに当接する突起１６を形成することによって、重なった上、下フランジ６、４、あるいは、重なった左、右フランジ９、１０を連結金具の挟持部３から完全から抜き出すことができる。
【００７８】
また、この発明の第１実施形態に係る連結金具の取り付け、取り外し用治具によれば、治具本体１３の先端のコーナー部を切り取ることによって、重なった左、右フランジ９、１０に対して連結金具を取り付け、取り外す場合においても、治具本体１３の回転に支障を来たすおそれがない。
【００７９】
［第２実施形態］
次に、この発明の連結金具の第２実施態様を、図面を参照しながら説明する。なお、第２実施形態の説明では、第１実施形態と同一の部材については同一の符号を付することにより説明を省略する。
【００８０】
図７は、この発明の、第２実施形態に係る連結金具の取り付け、取り外し用治具を示す平面図、図８は、この発明の、第２実施形態に係る連結金具の取り付け、取り外し用治具を示す側面図、図９は、この発明の、第２実施形態に係る連結金具の取り付け、取り外し用治具の取り外し工程を示す図であり、（ａ）は、治具を取り付けた底面図、（ｂ）は、治具を途中まで回転させた底面図、（ｃ）は、治具を取り外した底面図である。
【００８１】
図７、図８に示すように、第２実施形態に係る連結金具の取り付け、取り外し用治具の柄部１２には、中空円柱状の打込体３１が、柄部１２の末端から活動可能に挿着される（挿し込んでつけられる）。打込体３１の材料としては、一定の比重がある例えば金属（鉄等）などを採用することができる。打込体３１は、柄部１２に沿って末端から先端に滑動（スライド）して、治具本体１３を衝打する（衝撃を与えて打つ）。なお、打込体３１の形状は、円柱状に限られず、角柱状など他の形状であってもよく、又、手で握りやすい形状としてもよい。また、衝打しやすいように、打込体３１に取っ手を設けてもよい。
【００８２】
打込体３１の端面には、治具本体１３を衝打する際に発生する音を軽減する消音部材３１ａが設けられている。消音部材３１ａの材料としては例えばゴムなどを採用することができる。一方、治具本体１３には、打込体３１により衝打される際の受け面となる鍔３２が設けられている。なお、消音部材３１ａは、鍔３２側に設けることとしてもよいし、打込体３１と鍔３２の双方に設けることとしてもよい。
【００８３】
柄部１２には、２つの挿入孔（貫通孔）が形成されており、それぞれの挿入孔には、打込体３１が柄部１２の末端から脱落するのを防止するコッタピン３３Ａ、３３Ｂ（脱落防止具）が嵌挿される（挿し嵌められる）ようになっている。打込体３１の脱落防止には、コッタピン３３Ａ、３３Ｂの何れか一方を挿入孔に嵌挿するだけでよい。
【００８４】
治具本体１３の先端部には、連結金具本体１の差込み部２が嵌め込まれる切欠部３４が形成されている。
【００８５】
次に、第２実施形態に係る連結金具の取り付け、取り外し用治具による連結金具の取り付け方法について説明する。
【００８６】
まず、図５（ｃ）、図９（ｃ）に示すように、連結金具の折り曲げられた側の挟持部３に治具本体１３の嵌合部１４を嵌め込む。
【００８７】
次に、図５（ｂ）、図９（ｂ）に示すように、柄部１２を介して治具本体１３をてこの原理を利用して、図中、矢印とは逆方向に回転させる。
【００８８】
これにより、図５（ａ）、図９（ａ）に示すように、重なった上、下フランジ６、４に連結金具が取り付けられる。
【００８９】
連結金具を取り付けた際に、上、下フランジ６、４が連結金具の挟持部３に完全に入り込んでいない場合には、打込体３１を柄部１２の末端側から先端側に滑動させて、治具本体１３を衝打することにより、上、下フランジ６、４が連結金具の挟持部３に完全に入り込ませることができる。
【００９０】
なお、重なった左、右フランジ９、１０（図１７参照）に対して、連結金具を取り付ける場合も同様である。
【００９１】
この発明の、第２実施形態に係る連結金具の取り付け、取り外し用治具により連結金具を取り外すには、上述した取り付け方法の場合の逆の操作をする。
【００９２】
図９（ｂ）、図９（ｃ）に示すように、連結金具を回転させる過程において、治具本体１３の切欠部３４に連結金具本体１の差込み部２が嵌め込まれているため、連結金具をしっかり保持した状態で回転させることができる。
【００９３】
以上、説明したように、この発明の第２実施形態に係る連結金具の取り付け、取り外し用治具によれば、連結金具の取り付けに際して、重なった上、下フランジ６、４、あるいは、重なった左、右フランジ９、１０が連結金具の挟持部３に完全に入り込んでいない場合に、打込体３１を柄部１２の末端側から先端側に滑動させて、治具本体１３を衝打することにより、上、下フランジ６、４、あるいは、左、右フランジ９、１０を連結金具の挟持部３に完全に入り込ませることができる。
【００９４】
また、この発明の第２実施形態に係る連結金具の取り付け、取り外し用治具によれば、打込体３１における、治具本体１３に当接する当接部に、衝打により発生する音を軽減する消音部材３１ａが取り付けられていることから、衝打による騒音発生を抑制することができ、作業環境を改善することができる。
【００９５】
更に、この発明の第２実施形態に係る連結金具の取り付け、取り外し用治具によれば、柄部には挿入孔が形成されており、コッタピン３３Ａ、３３Ｂ（脱落防止具）が挿入孔に嵌挿されることにより、打込体３１が柄部１２の末端から脱落するのを防止することができる。また、打込体３１を２つの挿入孔の間に保持した状態で、それぞれの挿入孔にコッタピン３３Ａ、３３Ｂを挿入し固定することにより、打込体３１を柄部１２に固定させることができる。
【００９６】
更にまた、この発明の第２実施形態に係る連結金具の取り付け、取り外し用治具によれば、治具本体１３の先端部に、連結金具本体１の差込み部２が嵌め込まれる切欠部３４が形成されていることから、連結金具を取り付ける場合及び取り外す場合において、治具本体１３の切欠部３４に連結金具本体１の差込み部２が嵌め込まれることにより、連結金具をしっかり保持した状態で回転させ、滑らかに取り付けや取り外しを行うことができる。
【符号の説明】
【００９７】
１：連結金具本体
１ａ：補強部
２：差込み部
２ａ：先端部
３：挟持部
３ａ：折曲げ部
３ｂ：入口縁部
４：下フランジ
５：上部ライナープレート
６：上フランジ
７：下部ライナープレート
８：孔
９：左フランジ
１０：右フランジ
１１：孔
１２：柄部
１３：治具本体
１４：嵌合部
１５：板材
１５ａ：凹部
１６：突起
２１：連結金具本体
２２：差込み部
２３：挟持部
２４：上部ライナープレート
２５：上フランジ
２６：下部ライナープレート
２７：下フランジ
２８：孔
３１：打込体
３１ａ：消音部材
３２：鍔
３３Ａ、３３Ｂ：コッタピン
３４：切欠部
Ｌ１：挟持部の入口の開口幅
Ｌ２：挟持部の幅
Ｌ３：差込み部の幅
【図１】
2020138312.tif 000003
【図２】
2020138312.tif 000004
【図３】
2020138312.tif 000005
【図４】
2020138312.tif 000006
【図５】
2020138312.tif 000007
【図６】
2020138312.tif 000008
【図７】
2020138312.tif 000009
【図８】
2020138312.tif 000010
【図９】
2020138312.tif 000011
【図１０】
2020138312.tif 000012
【図１１】
2020138312.tif 000013
【図１２】
2020138312.tif 000014
【図１３】
2020138312.tif 000015
【図１４】
2020138312.tif 000016
【図１５】
2020138312.tif 000017
【図１６】
2020138312.tif 000018
【図１７】
2020138312.tif 000019
【図１８】
2020138312.tif 000020
【図１９】
2020138312.tif 000021
【図２０】
2020138312.tif 000022